(57)【要約】【課題】熱エネルギーの作用により記録ヘッドから吐出されるインクジェット用インクにおいて、耐光性が良好な画像を記録可能であるとともに、吐出安定性が良好なインク、並びにそのインクを用いたインクカートリッジ及びインクジェット記録方法を提供する。【解決手段】熱エネルギーの作用により記録ヘッドから吐出されるインクジェット用インクであって、キサンテン骨格を有する化合物、及びカルボキシメチルセルロースを含有し、カルボキシメチルセルロースの重量平均分子量が２５０，０００以上であることを特徴とするインクである。また、そのインクと、そのインクを収容するインク収容部とを備えたインクカートリッジである。さらに、そのインクをインクジェット方式の記録ヘッドから吐出して記録媒体に画像を記録するインクジェット記録方法である。【選択図】なし【特許請求の範囲】
【請求項１】
熱エネルギーの作用により記録ヘッドから吐出されるインクジェット用インクであって、
キサンテン骨格を有する化合物、及びカルボキシメチルセルロースを含有し、
前記カルボキシメチルセルロースの重量平均分子量が２５０，０００以上であることを特徴とするインク。
【請求項２】
前記カルボキシメチルセルロースの含有量（質量％）が、インク全質量を基準として、０．００５質量％以上０．０７５質量％以下である請求項１に記載のインク。
【請求項３】
前記キサンテン骨格を有する化合物の含有量（質量％）が、前記カルボキシメチルセルロースの含有量（質量％）に対する質量比率で、３５倍以上７５０倍以下である請求項１又は２に記載のインク。
【請求項４】
前記カルボキシメチルセルロースのエーテル化度が、０．２以上１．５以下である請求項１乃至３のいずれか１項に記載のインク。
【請求項５】
両末端アルカンジオールを含有する請求項１乃至４のいずれか１項に記載のインク。
【請求項６】
インクと、前記インクを収容するインク収容部とを備えたインクカートリッジであって、
前記インクが、請求項１乃至５のいずれか１項に記載のインクであることを特徴とするインクカートリッジ。
【請求項７】
インクをインクジェット方式の記録ヘッドから吐出して記録媒体に画像を記録するインクジェット記録方法であって、
前記インクが、請求項１乃至５のいずれか１項に記載のインクであることを特徴とするインクジェット記録方法。
【発明の詳細な説明】
【技術分野】
【０００１】
本発明は、インク、インクカートリッジ、及びインクジェット記録方法に関する。
【背景技術】
【０００２】
キサンテン骨格を有する化合物は、高いマゼンタ色の発色を有する色材として知られており、染色、塗料及びインクなどに広く使用されている。インクジェット用のマゼンタインクとしては、発色性の他に画像の堅牢性やインクの吐出安定性などが求められており、様々な検討がなされている。
【０００３】
例えば、特許文献１には、特定のセルロースを含有することで、吐出安定性を向上させるインクが提案されている。また、特許文献２にはインクに水溶性樹脂を含有させることで、画質の向上を図るインクメディアセットが提案されている。
【先行技術文献】
【特許文献】
【０００４】
【特許文献１】特開２００１−１８１５３９号公報
【特許文献２】特開２０１４−１２１８３４号公報
【発明の概要】
【発明が解決しようとする課題】
【０００５】
しかし、特許文献１では、所望の画像性能及び吐出性を得るためにはインクはある程度の粘度を有する必要があり、熱エネルギーの作用により記録ヘッドからインクを吐出するインクジェット記録方法においては、吐出安定性は得られないことがわかった。また、特許文献２では、インクに低分子のカルボキシメチルセルロースを添加することで凝集ムラや滲みの発生を抑制できるが、一方で画像の耐光性が低下することがわかった。
【０００６】
したがって、本発明の目的は、熱エネルギーの作用により記録ヘッドから吐出されるインクジェット用インクにおいて、耐光性が良好な画像を記録可能であるとともに、吐出安定性が良好なインクを提供することにある。また、本発明の別の目的は、前記インクを用いたインクカートリッジ及びインクジェット記録方法を提供することにある。
【課題を解決するための手段】
【０００７】
上記の目的は以下の本発明によって達成される。すなわち、本発明によれば、熱エネルギーの作用により記録ヘッドから吐出されるインクジェット用インクであって、キサンテン骨格を有する化合物、及びカルボキシメチルセルロースを含有し、前記カルボキシメチルセルロースの重量平均分子量が２５０，０００以上であることを特徴とするインクが提供される。
【発明の効果】
【０００８】
本発明によれば、熱エネルギーの作用により記録ヘッドから吐出されるインクジェット用インクにおいて、耐光性が良好な画像を記録可能であるとともに、吐出安定性が良好なインクを提供することができる。また、本発明の別の実施態様によれば、前記インクを用いたインクカートリッジ及びインクジェット記録方法を提供することができる。
【図面の簡単な説明】
【０００９】
【図１】本発明のインクカートリッジの一実施形態を模式的に示す断面図である。
【図２】本発明のインクジェット記録方法に用いられるインクジェット記録装置の一例を模式的に示す図であり、（ａ）はインクジェット記録装置の主要部の斜視図、（ｂ）はヘッドカートリッジの斜視図である。
【発明を実施するための形態】
【００１０】
以下に、好ましい実施の形態を挙げて、さらに本発明を詳細に説明する。なお、本発明においては、化合物が塩である場合は、インク中では塩はイオンに解離して存在しているが、便宜上、「塩を含有する」と表現する。また、インクジェット用のインクのことを、単に「インク」と記載することがある。また、物性値は、特に断りのない限り、常温（２５℃）における値とする。
【００１１】
マゼンタインクにおいて、発色性の高いインクを提供するためには、キサンテン骨格を有する化合物を使用することが有用であることが知られている。また、キサンテン骨格を有する化合物はマゼンタの色相が良好であることから、キサンテン骨格を有する化合物の含有量を多くすることでインクジェット用インクとして求められる画像性能を持ったマゼンタインクを得ることができる。
【００１２】
一方で、熱エネルギーの作用により記録ヘッドからインクを吐出するインクジェット記録方法において、吐出安定性を低下させる要因として、有機物や無機物によるコゲがある。これは、ヒーター上にコゲが付着することにより、熱エネルギーが伝わりにくくなるため、インクの不吐出や吐出よれが発生する現象である。本発明者らの検討の結果、キサンテン骨格を有する化合物を多く含有するインクは、長時間インクを吐出した際に、吐出安定性が著しく低下することがわかった。吐出後のヒーターを観察すると、有機物が付着しており、コゲが確認された。本発明者らは、コゲの原因はキサンテンの構造に由来すると推測している。すなわち、キサンテン骨格を有する化合物は平面性が高い構造を有しているため、化合物同士がスタッキングしやすい。これが不溶化物として析出し、ヒーター上に有機物のコゲがつきやすいため、吐出安定性が低くなると推測している。
【００１３】
そこで本発明者らは、キサンテン骨格を有する化合物のスタッキングを緩和することでヒーター上のコゲの付着を抑制できると考え、添加剤の検討を行った。その結果、インクにカルボキシメチルセルロースを含有させた際に、コゲの付着が抑制され、吐出安定性が向上することがわかった。これは、カルボキシメチルセルロースの構造に由来すると考えられる。具体的には、カルボキシメチルセルロースの環の疎水部がキサンテン骨格の疎水部と相互作用することによって、キサンテン骨格を有する化合物は見かけ上、親水性基（カルボン酸基）が多くなる。このため、キサンテン骨格を有する化合物同士の相互作用を弱める効果があると考えられる。カルボキシメチルセルロースはかさ高い構造のため、より染料のスタッキングを弱める効果が高いと推測される。
【００１４】
本発明者らはさらに検討を進めていったところ、カルボキシメチルセルロースの分子量によっては記録した画像の耐光性が低下することがわかった。具体的には、分子量の小さいカルボキシメチルセルロースを含有させたインクを使用した場合、インクの吐出安定性は向上するが、画像の耐光性が低下することがわかった。一方で、分子量の大きいカルボキシメチルセルロースを含有させたインクを使用した場合、耐光性が良好な画像を記録することができ、インクの吐出安定性を向上させることができることを見出し、本発明に至った。本発明者らの検討の結果、カルボキシメチルセルロースの重量平均分子量は２５０，０００以上のときに上記効果が発現されることがわかった。
【００１５】
この理由を本発明者らは以下のように推測している。画像の高耐光性を発現するためには、ある程度の色材が集合体を形成している必要がある。しかし、分子量の小さいカルボキシメチルセルロースを含有させたインクの場合、インク中の色材がほぐれすぎて、記録媒体において集合体を形成することができず、その結果、画像の耐光性が低下したものと推測される。一方、分子量の大きいカルボキシメチルセルロースを含有させたインクの場合、いくつかの色材が一つのカルボキシメチルセルロースの分子に吸着されており、記録媒体にも色材の集合体が存在するため、画像の耐光性を低下させなかったものと推測される。
【００１６】
＜インク＞
以下、本発明のインクを構成する各成分やインクの物性について詳細に説明する。
【００１７】
（カルボキシメチルセルロース）
本発明のインクは、重量平均分子量が２５０，０００以上のカルボキシメチルセルロースを含有する。重量平均分子量は、ゲルパーミエーションクロマトグラフィー（ＧＰＣ）により得られるポリスチレン換算の重量平均分子量である。なお、カルボキシメチルセルロースの重量平均分子量があまりにも大きいと、インクを製造する際の精製工程で除去されやすくなり、カルボキシメチルセルロースを含有させることによる効果が十分に発揮されない場合がある。このため、カルボキシメチルセルロースの重量平均分子量は、２，０００，０００以下であることが好ましい。
【００１８】
カルボキシメチルセルロースのエーテル化度は０．２以上１．５以下であることが好ましく、０．７以上１．２以下であることがさらに好ましい。エーテル化度が低すぎるとインク中での分散性が低くなり、吐出安定性が低くなる場合があるためである。また、エーテル化度が高すぎるとカルボキシメチルセルロースのインク中の液媒体との親和性が高くなりすぎて、キサンテン骨格を有する化合物の吸着力が低下する場合があるためである。ここで、カルボキシメチルセルロースのエーテル化度とは、１ユニットの無水グルコースについてのカルボキシメチル基の置換数（平均値）を示す指標である。無水グルコースの１ユニットは３つのヒドロキシ基を有するため、カルボキシメチル基の置換数、すなわちエーテル化度の最大値は３．０である。エーテル化度は、インクから適宜分取したカルボキシメチルセルロースを無水化するために焼成し、これに濃度既知の酸（硫酸など）を添加した試料について、アルカリ（水酸化カリウムなどの水溶液）による逆滴定を行うことで測定することができる。
【００１９】
カルボキシメチルセルロースは塩であってもよい。塩としては、ナトリウム、カリウム、及びリチウムなどのアルカリ金属塩、マグネシウム、及びカルシウムなどのアルカリ土類金属塩が好ましい。より好ましくはナトリウム塩又はカリウム塩である。カルボキシメチルセルロースは、例えば、特開２０１２−３６３７５号公報などを参考にしながら合成することができる。また、市販のカルボキシメチルセルロースを用いることもできる。市販品として、例えば、シグマアルドリッチ製のナトリウムカルボキシメチルセルロース、ダイセルファインケム製のＣＭＣダイセル、第一工業製薬製のセロゲン、日本製紙製のサンローズ、及びスギノマシン製のＢｉＮＦｉ−ｓなどの商品を挙げることができる。
【００２０】
インク中のカルボキシメチルセルロースの含有量（質量％）は、インク全質量を基準として、０．００１質量％以上０．１００質量％以下であることが好ましい。なかでも、０．００４質量％以上０．０７６質量％以下であることがより好ましい。カルボキシメチルセルロースの含有量が０．００４質量％未満であると、吐出安定性の向上効果が十分に得られない場合がある。一方、カルボキシメチルセルロースの含有量が０．０７６質量％超であると、インクの粘度が上昇し、十分な吐出安定性を得ることができない場合がある。カルボキシメチルセルロースの含有量（質量％）は、インク全質量を基準として、０．００５質量％以上０．０７５質量％以下であることがさらに好ましい。カルボキシメチルセルロースの含有量が０．００５質量％以上であることにより、インクの吐出安定性がさらに良好になる。また、カルボキシメチルセルロースの含有量が０．０７５質量％以下であることにより、インクの粘度上昇を抑制できるため、インクの吐出安定性をさらに高めることができる。
【００２１】
（キサンテン骨格を有する化合物）
本発明のインクは、色材（染料）として、キサンテン骨格を有する化合物を含有する。キサンテン骨格を有する化合物としては、水に溶解する化合物であれば、使用することができる。例えば、Ｃ．Ｉ．ナンバーを有する染料として、Ｃ．Ｉ．アシッドレッド２８９、及びＣ．Ｉ．アシッドレッド５２を挙げることができる。また、フェニル基を含む置換基がアミノ基を介してキサンテン母骨格に結合した構造を有する、下記一般式（１）で表される化合物などを用いても良い。
【００２２】
2017039890.tif 000002
【００２３】
一般式（１）中、Ｒ1、Ｒ5、Ｒ6及びＲ10は、それぞれ独立にアルキル基を表す。Ｒ3及びＲ8は、それぞれ独立に水素原子、アルキル基、アルコキシ基、又はアリールオキシ基を表す。Ｒ2、Ｒ4、Ｒ7及びＲ9は、それぞれ独立に水素原子又は下記一般式（２）で表されるアシルアミノ基を表し、Ｒ2、Ｒ4、Ｒ7及びＲ9の少なくとも１つは、下記一般式（２）で表されるアシルアミノ基である。Ｚは、ＳＯ3Ｈ基、ＳＯ3Ｍ基、又はスルファモイル基を表し、Ｍは、アンモニウムイオン又はアルカリ金属イオンを表す。Ｚは芳香環の少なくとも１つの水素原子の位置に置換している。Ｒ2、Ｒ3、Ｒ4、Ｒ7、Ｒ8及びＲ9の少なくとも１つがイオン性基で置換されている場合には、ｎは０乃至３の整数を表し、イオン性基で置換されていない場合には、ｎは１乃至３の整数を表す。
【００２４】
2017039890.tif 000003
【００２５】
一般式（２）中、Ｒ11は、アルキル基、シクロアルキル基、アリール基、アリールアルキル基、アルケニル基、又はヘテロ環基のいずれかを表す。＊は一般式（１）の芳香環との結合部位を表す。
【００２６】
インク中のキサンテン骨格を有する化合物の含有量（質量％）は、カルボキシメチルセルロースの含有量（質量％）に対する質量比率で、１０倍以上１，０００倍以下であることが好ましい。なかでも、３３倍以上８００倍以下であることがより好ましい。キサンテン骨格を有する化合物の含有量がカルボキシメチルセルロースの含有量に対する質量比率で３３倍未満であると、色材の集合体が小さいために、耐光性が低下する場合がある。キサンテン骨格を有する化合物の含有量がカルボキシメチルセルロースの含有量に対する質量比率で８００倍超であると、吐出安定性の効果が十分に得られない場合がある。キサンテン骨格を有する化合物の含有量（質量％）は、カルボキシメチルセルロースの含有量（質量％）に対する質量比率で、３５倍以上７５０倍以下であることがさらに好ましい。キサンテン骨格を有する化合物の含有量がカルボキシメチルセルロースの含有量に対する質量比率で３５倍以上であることにより、耐光性に優れた画像を得ることができる。また、キサンテン骨格を有する化合物の含有量がカルボキシメチルセルロースの含有量に対する質量比率で７５０倍以下、より好ましくは７００倍以下であることにより、インクの吐出安定性がさらに良好となる。
【００２７】
（水性媒体）
本発明のインクは、水、又は水及び水溶性有機溶剤の混合溶媒である水性媒体を含有させることができる。本発明のインクは、水性媒体として少なくとも水を含有する、水性のインクであることが好ましい。水としては脱イオン水（イオン交換水）を用いることが好ましい。水溶性有機溶剤としては特に限定されるものではなく、アルコール類、グリコール類、グリコールエーテル類、及び含窒素化合物類などのインクジェット用のインクに使用可能なものをいずれも用いることができる。また、これらの水溶性有機溶剤の１種又は２種以上をインクに含有させることができる。
【００２８】
本発明のインクは、水溶性有機溶剤のなかでも、両末端アルカンジオールを含有することが好ましい。両末端アルカンジオールは、両末端アルカンジオールの疎水部に色材が吸着することによるスタッキングを緩和させる働きが他の溶剤よりも強いため、吐出安定性の向上により効果的であると推測されるためである。また、両末端アルカンジオールは、粘度調整剤としての役割も果たすため有用である。両末端ジオールとは、分子構造中の最も長い炭化水素鎖（好ましくはアルキル鎖）の両端にヒドロキシ基が置換した２価アルコールのことである。両末端ジオールとしては、例えば、１，３−プロパンジオール、１，４−ブタンジオール、１，５−ペンタンジオール、１，６−ヘキサンジオールなどの炭素数直鎖３乃至６程度の直鎖構造のジオール類；３−メチル−１，５−ペンタンジオールなどの炭素数４乃至８程度の分岐鎖構造のジオール類；などを挙げることができる。
【００２９】
インク中の水の含有量（質量％）は、インク全質量を基準として、５０．０質量％以上９５．０質量％以下であることが好ましい。また、インク中の水溶性有機溶剤の含有量（質量％）は、インク全質量を基準として、３．０質量％以上５０．０質量％以下であることが好ましい。水溶性有機溶剤の含有量が３．０質量％未満であると、インクをインクジェット記録装置に用いる場合に耐固着性などの信頼性が得られない場合がある。また、水溶性有機溶剤の含有量が５０．０質量％超であると、インクの粘度が上昇して、インクの供給不良が起きる場合がある。
【００３０】
（その他の成分）
本発明のインクには、上記成分の他に、尿素やその誘導体、トリメチロールプロパン、及びトリメチロールエタンなどの常温（２５℃）で固体の水溶性有機化合物を含有させてもよい。また、本発明のインクには、必要に応じて、界面活性剤、樹脂、ｐＨ調整剤、消泡剤、防錆剤、防腐剤、防黴剤、酸化防止剤、還元防止剤、及びキレート剤などの種々の添加剤を含有させてもよい。本発明においては、例えば、アセチレングリコール系、フッ素系、シリコーン系、及びポリオキシエチレンアルキルエーテル系などの界面活性剤の１種又は２種以上をインクに含有させることが好ましい。インク中の界面活性剤の含有量（質量％）は、インク全質量を基準として、０．０５質量％以上２．００質量％以下であることが好ましい。
【００３１】
（インクの物性）
本発明においては、インクの２５℃における粘度は、１．０ｍＰａ・ｓ以上５．０ｍＰａ・ｓ以下であることが好ましく、１．０ｍＰａ・ｓ以上３．５ｍＰａ・ｓ以下であることがさらに好ましい。また、インクの２５℃における静的表面張力は、２８ｍＮ／ｍ以上４５ｍＮ／ｍ以下であることが好ましい。また、インクの２５℃におけるｐＨは、５以上９以下であることが好ましい。
【００３２】
＜インクカートリッジ＞
本発明のインクカートリッジは、インクと、このインクを収容するインク収容部とを備える。そして、このインク収容部に収容されているインクが、上記で説明した本発明のインクである。図１は、本発明のインクカートリッジの一実施形態を模式的に示す断面図である。図１に示すように、インクカートリッジの底面には、記録ヘッドにインクを供給するためのインク供給口１２が設けられている。インクカートリッジの内部はインクを収容するためのインク収容部となっている。インク収容部は、インク収容室１４と、吸収体収容室１６とで構成されており、これらは連通口１８を介して連通している。また、吸収体収容室１６はインク供給口１２に連通している。インク収容室１４には液体のインク２０が収容されており、吸収体収容室１６には、インクを含浸状態で保持する吸収体２２及び２４が収容されている。インク収容部は、液体のインクを収容するインク収容室を持たず、収容されるインク全量を吸収体により保持する形態であってもよい。また、インク収容部は、吸収体を持たず、インクの全量を液体の状態で収容する形態であってもよい。さらには、インク収容部と記録ヘッドとを有するように構成された形態のインクカートリッジとしてもよい。
【００３３】
＜インクジェット記録方法＞
本発明のインクジェット記録方法は、上記で説明した本発明のインクをインクジェット方式の記録ヘッドから吐出して記録媒体に画像を記録する方法である。インクを吐出する方式としては、インクに熱エネルギーを付与する方式を利用する。本発明のインクを用いること以外、インクジェット記録方法の工程は公知のものとすればよい。
【００３４】
図２は、本発明のインクジェット記録方法に用いられるインクジェット記録装置の一例を模式的に示す図であり、（ａ）はインクジェット記録装置の主要部の斜視図、（ｂ）はヘッドカートリッジの斜視図である。インクジェット記録装置には、記録媒体３２を搬送する搬送手段（不図示）、及びキャリッジシャフト３４が設けられている。キャリッジシャフト３４にはヘッドカートリッジ３６が搭載可能となっている。ヘッドカートリッジ３６は記録ヘッド３８及び４０を具備しており、インクカートリッジ４２がセットされるように構成されている。ヘッドカートリッジ３６がキャリッジシャフト３４に沿って主走査方向に搬送される間に、記録ヘッド３８及び４０から記録媒体３２に向かってインク（不図示）が吐出される。そして、記録媒体３２が搬送手段（不図示）により副走査方向に搬送されることによって、記録媒体３２に画像が記録される。
【実施例】
【００３５】
以下、実施例及び比較例を挙げて本発明をさらに詳細に説明するが、本発明は、その要旨を超えない限り、下記の実施例によって何ら限定されるものではない。なお、成分量に関して「部」及び「％」と記載しているものは特に断らない限り質量基準である。
【００３６】
＜色材の合成＞
特開２０１１−１４８９７３の記載を参考にして、遊離酸型として下記の構造式で表される化合物を合成した。その後、常法にしたがってイオン交換を行い、ナトリウム塩型の化合物Ａを得た。
2017039890.tif 000004
【００３７】
＜カルボキシメチルセルロースの水分散液の調製＞
（カルボキシメチルセルロース１）
重量平均分子量が７００，０００、エーテル化度が０．９のカルボキシメチルセルロースとしてシグマアルドリッチ製のナトリウムカルボキシメチルセルロース１部とイオン交換水９９部を混合した。この混合物に、分散・乳化機（商品名「クレアミックス」、エム・テクニック製）を使用してプレミキシング（１０，０００ｒｐｍ，６０分間）を行った。その後、ポアサイズ３．０μｍのミクロフィルター（富士フイルム製）にて加圧ろ過を行った。イオン交換水を添加した後にエバポレーターにて濃縮し、カルボキシメチルセルロース（ＣＭＣ）１の水分散液（ＣＭＣの含有量：１．０％）を得た。
【００３８】
（カルボキシメチルセルロース２）
重量平均分子量が２５０，０００、エーテル化度が０．７のカルボキシメチルセルロースとしてシグマアルドリッチ製のナトリウムカルボキシメチルセルロースに変更した以外はカルボキシメチルセルロース１と同様にして、カルボキシメチルセルロース（ＣＭＣ）２の水分散液を得た。この水分散液中のＣＭＣ２の含有量は、１．０％であった。
【００３９】
（カルボキシメチルセルロース３）
重量平均分子量が２５０，０００、エーテル化度が０．９のカルボキシメチルセルロースとしてシグマアルドリッチ製のナトリウムカルボキシメチルセルロースに変更した以外はカルボキシメチルセルロース１と同様にして、カルボキシメチルセルロース（ＣＭＣ）３の水分散液を得た。この水分散液中のＣＭＣ３の含有量は、１．０％であった。
【００４０】
（カルボキシメチルセルロース４）
重量平均分子量が２５０，０００、エーテル化度が１．２のカルボキシメチルセルロースとしてシグマアルドリッチ製のナトリウムカルボキシメチルセルロースに変更した以外はカルボキシメチルセルロース１と同様にして、カルボキシメチルセルロース（ＣＭＣ）４の水分散液を得た。この水分散液中のＣＭＣ４の含有量は、１．０％であった。
【００４１】
（カルボキシメチルセルロース５）
重量平均分子量が９０，０００、エーテル化度が０．７のカルボキシメチルセルロースとしてシグマアルドリッチ製のナトリウムカルボキシメチルセルロースに変更した以外はカルボキシメチルセルロース１と同様にして、カルボキシメチルセルロース（ＣＭＣ）５の水分散液を得た。この水分散液中のＣＭＣ５の含有量は、１．０％であった。
【００４２】
＜インクの調製＞
表１の上段に示す各成分（単位：％）を混合し十分に撹拌した後、ポアサイズが０．２μｍであるポリプロピレンフィルター（ポール製）にて加圧ろ過を行って各インクを調製した。なお、サーフィノール４６５（Ａｉｒ  Ｐｒｏｄｕｃｔｓ製）は、アセチレングリコール系の界面活性剤の商品名であり、アセチレングリコールのエチレンオキサイド付加物で、エチレンオキサイド基の付加モル数が１０のものである。また、表１の下段には、カルボキシメチルセルロース（ＣＭＣ）の重量平均分子量（Ｍｗ）、及びＣＭＣのエーテル化度を示した。同様に、表１の下段には、インク中の色材の含有量Ａ（単位：％）、インク中のＣＭＣの含有量Ｂ（単位：％）、及びＣＭＣの含有量Ｂに対する色材の含有量Ａの質量比率（Ａ／Ｂ）の値を示した。
【００４３】
2017039890.tif 000005
【００４４】
2017039890.tif 000006
【００４５】
2017039890.tif 000007
【００４６】
＜評価＞
上記で得られた各インクをインクカートリッジに充填し、熱エネルギーによりインクを吐出する記録ヘッドを搭載したインクジェット記録装置（商品名「ＰＩＸＵＳ  ｉＰ４６００」、キヤノン製）にセットした。上記のインクジェット記録装置では、１／６００インチ×１／６００インチの単位領域に１滴当たりの質量が５ｎｇ±１０％であるインク滴を１滴付与する条件で記録した画像を記録デューティが１００％であると定義する。本発明においては、以下に示す評価基準で、「Ｃ」を許容できないレベル、「Ａ」及び「Ｂ」を許容できるレベルとした。評価結果を表２に示す。
【００４７】
（吐出安定性）
上記のインクジェット記録装置を用いて、各インクを１０，０００Ｈｚの吐出周波数で８時間連続吐出させた後、上記インクジェット記録装置のノズルチェックパターンを１枚記録した。このときのノズルチェックパターンを目視で観察することにより、インクの吐出安定性を評価した。インクの吐出安定性の評価基準は以下の通りである。
Ａ：吐出よれは生じていなかった。
Ｂ：吐出よれがわずかに生じていたが気にならないレベルであった。
Ｃ：吐出よれが生じていた。
【００４８】
（耐光性）
上記のインクジェット記録装置を用いて、記録媒体（商品名「キヤノン写真用紙・光沢  プロフェッショナル  ＰＲ−２０１」、キヤノン製）に、記録デューティが１００％であるベタ画像（２ｃｍ×２ｃｍ）を記録した。得られた画像を温度２３℃、相対湿度５５％で２４時間自然乾燥した。上記の方法で得た各記録物の画像の光学濃度を測定した（「試験前の光学濃度」とする）。その後、この記録物をキセノン試験装置（商品名「キセノンウェザーメーターＳＸ−７５」、スガ試験機製）中に載置し、槽内温度２４℃、相対湿度６０％、照度１００ｋｌｘの条件で、１００時間キセノン光を画像に照射した。次いで、このようにして得られた記録物の画像の光学濃度を測定した（「試験後の光学濃度」とする）。そして、光学濃度の残存率（％）＝（試験後の光学濃度／試験前の光学濃度）×１００、を算出し、以下に示す評価基準にしたがって耐光性を評価した。
Ａ：光学濃度の残存率が７０％以上であった。
Ｂ：光学濃度の残存率が６０％以上７０％未満であった。
Ｃ：光学濃度の残存率が６０％未満であった。
【００４９】
2017039890.tif 000008
【００５０】
なお、実施例１１においては、初期よりわずかに吐出よれが発生していた。
【図１】
2017039890.tif 000009
【図２】
2017039890.tif 000010